(57)【要約】本発明は、情報保存媒体、データ記録、再生、検出及び／または評価装置及びその方法が開示されている。本発明は、入力される情報データの記録／再生時、基本クロック周期（Ｔ）を持つ第１クロック信号によって所定変調方式により変調する変調器、及び変調されたビットストリームについて第１クロック信号の所定倍数の第２クロック信号によってビットを拡張するビット拡張器を含み、情報保存媒体上にｎＴ長さのピットを成形し、かつ（ｎ±１）Ｔ長さのピットを成形しないことにより安定したデータの再生が可能である。  また、本発明の情報保存媒体上に第１変調方式により変調されたデータを保存する第１領域、及び第２変調方式により変調されたデータを保存する第２領域を含み、第２変調方式により変調されたデータは、第１変調方式により媒体上に形成されたピットやスペースのうち一部のみを使用してｎＴ長さのピットを成形し、かつ（ｎ±１）Ｔ長さのピットを成形せず、情報保存媒体上に保存されたデータを各変調方式に対応して復調して、復元されたデータを提供する。
2005538489.tif 000002
【特許請求の範囲】
【請求項１】
情報データが所定の変調方式により変調され、変調されたビットストリームについてビットを拡張させ、拡張されたビットストリームで記録され、前記情報データはｎＴ長さのピットを成形し、かつ（ｎ±１）Ｔ長さのピットは成形せず、前記Ｔは、記録または再生時の基本クロック信号の周期であり、ｎは整数であることを特徴とする情報保存媒体。
【請求項２】
前記所定の変調方式はＲＬＬ（ｄ，ｋ）変調方式であることを特徴とする請求項１に記載の情報保存媒体。
【請求項３】
前記所定の変調方式はバイフェーズ変調方式であることを特徴とする請求項１に記載の情報保存媒体。
【請求項４】
前記情報データは、記録または再生時の基本クロック信号の周期を持つ第１クロック信号によって変調され、前記変調されたビットストリームは、前記第１クロック信号の所定倍数の第２クロック信号によってビットが拡張されることを特徴とする請求項１に記載の情報保存媒体。
【請求項５】
第１変調方式により変調されたデータを保存する第１領域と、
第２変調方式により変調されたデータを保存する第２領域とを含み、
前記第２変調方式により変調されたデータは、前記第１変調方式により媒体上に形成されたピットやスペースのうち一部のみを使用して保存されることを特徴とする情報保存媒体。
【請求項６】
前記第１領域は、ユーザーデータが保存される領域であることを特徴とする請求項５に記載の情報保存媒体。
【請求項７】
前記第２領域は、付加情報が保存される付加情報領域、データリンクブロックまたはランイン／アウト領域のうち一つであることを特徴とする請求項５に記載の情報保存媒体。
【請求項８】
前記付加情報は、コピー保護関連情報、ディスク製造企業関連情報、コンテンツ提供者関連情報、コンテンツ所有権関連情報、コンテンツ規格関連情報、またはユーザーデータについてのエラー訂正のための付加情報のうち一つ以上を含むことを特徴とする請求項７に記載の情報保存媒体。
【請求項９】
前記第１変調方式は、ＲＬＬ（ｄ，ｋ）変調方式であることを特徴とする請求項５に記載の情報保存媒体。
【請求項１０】
前記第２変調方式は、バイフェーズ変調方式であることを特徴とする請求項５に記載の情報保存媒体。
【請求項１１】
前記第１変調方式はＲＬＬ（１，７）変調であり、ピットやスペースが２Ｔ〜８Ｔ（ここで、Ｔは、記録または再生時の基本クロック信号の周期）で構成されることを特徴とする請求項５に記載の情報保存媒体。
【請求項１２】
ピットやスペースよりなる９Ｔの同期パターンがさらに構成されることを特徴とする請求項１１に記載の情報保存媒体。
【請求項１３】
前記第２変調方式はバイフェーズ変調であり、ピットやスペースがｎＴと２ｎＴとよりなっており、ｎは整数で２≦ｎ≦４であることを特徴とする請求項５に記載の情報保存媒体。
【請求項１４】
ｎは３であり、３Ｔ及び６Ｔのピットやスペースであることを特徴とする請求項５に記載の情報保存媒体。
【請求項１５】
ピットやスペースよりなる９Ｔの同期パターンがさらに構成されることを特徴とする請求項１４に記載の情報保存媒体。
【請求項１６】
前記第１変調方式はＲＬＬ（２，１０）変調であり、ピットやスペースが３Ｔ〜１１Ｔ（ここで、Ｔは、記録または再生時の基本クロック信号の周期）で構成されることを特徴とする請求項５に記載の情報保存媒体。
【請求項１７】
ピットやスペースよりなる１２Ｔの同期パターンがさらに構成されることを特徴とする請求項１６に記載の情報保存媒体。
【請求項１８】
前記第２変調方式はバイフェーズ変調であり、ピットやスペースがｎＴ及び２ｎＴよりなっており、ｎは整数で３≦ｎ≦５であることを特徴とする請求項５に記載の情報保存媒体。
【請求項１９】
前記ｎは４であり、４Ｔ及び８Ｔのピットやスペースであることを特徴とする請求項１８に記載の情報保存媒体。
【請求項２０】
ピットやスペースよりなる１２Ｔの同期パターンをさらに構成されることを特徴とする請求項１９に記載の情報保存媒体。
【請求項２１】
情報保存媒体に情報データを記録する装置において、
入力される情報データの記録または再生時、基本クロック周期Ｔを持つ第１クロック信号によって所定変調方式により変調する変調手段と、
前記変調手段から出力される変調されたビットストリームについて、ｎＴ（ｎは整数）長さのピットで成形するために、前記第１クロック信号の所定倍数の第２クロック信号によってビットを拡張するビット拡張器とを含むデータ記録装置。
【請求項２２】
前記変調手段は、前記情報データをＲＬＬ（ｄ，ｋ）変調方式により変調して同期パターンを挿入することを特徴とする請求項２１に記載のデータ記録装置。
【請求項２３】
前記変調手段は、情報データをバイフェーズ変調方式により変調して同期パターンを挿入することを特徴とする請求項２１に記載のデータ記録装置。
【請求項２４】
前記変調手段で使われる前記第１クロック信号から、前記ビットストリームの拡張や記録用として使われる第２クロック信号を逓倍するクロックレート変換器をさらに含むことを特徴とする請求項２１に記載のデータ記録装置。
【請求項２５】
前記ビットストリームの拡張や記録用として使われる前記第２クロック信号から、前記変調手段で使われる前記第１クロック信号を分周するクロックレート変換器をさらに含むことを特徴とする請求項２１に記載のデータ記録装置。
【請求項２６】
前記ビット拡張器は、前記変調手段から出力される変調されたビットストリームについて、前記第２クロック信号によってオーバーサンプリングまたはゼロビット拡張のうち一つを行うことを特徴とする請求項２１に記載のデータ記録装置。
【請求項２７】
少なくとも第１領域及び第２領域を持つ情報保存媒体に情報データを記録する装置において、
入力される情報データを第１変調方式により変調する第１変調手段と、
入力される情報データを第２変調方式により変調する第２変調手段と、
前記第１変調手段により変調されたデータは前記第１領域に記録し、前記第２変調手段により変調されたデータは前記第２領域に記録する記録手段と、を含み、
前記第２変調方式により変調されたデータは、前記第１変調方式により媒体上に形成されたピットやスペースのうち一部のみを使用することを特徴とするデータ記録装置。
【請求項２８】
前記第１変調手段は、ＲＬＬ（ｄ，ｋ）変調方式によりユーザーデータを変調して同期パターンを挿入する第１変調器＆同期挿入器を含むことを特徴とする請求項２７に記載のデータ記録装置。
【請求項２９】
前記第２変調手段は、
付加情報データをバイフェーズ変調し、前記第１変調器＆同期挿入器により挿入された同期パターンとして使われる最長ピットやスペースを同期パターンに挿入する第２変調器＆同期挿入器と、
前記第２変調器＆同期挿入器から出力される変調されたビットストリームについてビットを拡張するビット拡張器と、を含むことを特徴とする請求項２８に記載のデータ記録装置。
【請求項３０】
前記第１変調器＆同期挿入器及びビット拡張器に使われる記録または再生時の基本クロック信号の周期を持つ変調クロック信号を生成し、変調クロック信号を分周し、分周されたクロック信号は前記第２変調器＆同期挿入器に提供するクロックレート変換器をさらに含むことを特徴とする請求項２９に記載のデータ記録装置。
【請求項３１】
前記ビット拡張器は、前記第２変調器＆同期挿入器から出力される変調されたビットストリームについて、前記変調クロック信号によってオーバーサンプリングまたはゼロビット拡張を行うことを特徴とする請求項３０に記載のデータ記録装置。
【請求項３２】
情報保存媒体に保存されたデータを再生する装置において、
前記情報保存媒体から再生される再生信号に同期された第１クロック信号を生成し、前記第１クロック信号を所定数でデシメーションした第２クロック信号を生成するクロック生成手段と、
前記再生信号を前記第２クロック信号によって記録する時、使われた変調方式に対応した復調方式により復元し、復元された情報データを提供する復元手段とを含むデータ再生装置。
【請求項３３】
前記情報保存媒体から読み取られた再生信号を二値化し、二値化された再生信号を前記クロック生成手段及び前記復元手段に提供する二値化手段をさらに含む請求項３２に記載のデータ再生装置。
【請求項３４】
前記クロック生成手段は、
前記二値化された再生信号から再生クロック信号を生成するＰＬＬ回路と、
前記再生クロック信号を所定数でデシメーションするデシメータとを含むことを特徴とする請求項３２に記載のデータ再生装置。
【請求項３５】
少なくとも第１変調方式により変調されたデータを保存する第１領域と、第２変調方式により変調されたデータを保存する第２領域とを含む情報保存媒体に保存されたデータを再生する装置において、
前記情報保存媒体から読み取られた再生信号を二値化し、二値化された再生信号を提供する二値化手段と、
前記二値化された再生信号から再生クロック信号を生成し、前記再生クロック信号を所定数でデシメーションしたクロック信号を生成するクロック生成手段と、
前記二値化された再生信号を前記再生クロック信号によって前記第１変調方式に対応した第１復調方式により復元する第１復元手段と、
前記二値化された再生信号を、前記デシメーションされたクロック信号によって前記第２変調方式に対応した第２復調方式により復元する第２復元手段とを含むデータ再生装置。
【請求項３６】
前記クロック生成手段は、
前記二値化された再生信号から再生クロック信号を生成するＰＬＬ回路と、
前記再生クロック信号を所定数でデシメーションするデシメータとを含むことを特徴とする請求項３５に記載のデータ再生装置。
【請求項３７】
領域制御信号によってユーザー領域であれば前記第１復元手段の出力を選択し、その他の領域であれば前記第２復元手段の出力を選択する選択手段をさらに含む請求項３５に記載のデータ再生装置。
【請求項３８】
ｎＴ長さ（Ｔは、記録または再生時の基本クロック信号の周期であり、ｎは整数）を持つ情報データが保存された情報保存媒体からデータを検出する装置において、
前記情報保存媒体から読み取られた光信号を電気的信号に変換して再生信号を提供する変換手段と、
前記再生信号を二値化し、二値化された信号を提供する二値化手段と、
前記二値化された信号のランレングスを補正する補正手段と、を含むデータ検出装置。
【請求項３９】
前記補正手段は、前記二値化された信号のランレングスが（ｎ±１）Ｔとエラーが発生した信号をｎＴに補正することを特徴とする請求項３８に記載のデータ検出装置。
【請求項４０】
前記再生信号に同期された再生クロック信号を生成して、前記二値化手段及び前記補正手段に提供するクロック生成手段をさらに含むことを特徴とする請求項３８に記載のデータ検出装置。
【請求項４１】
前記変換手段は、
入力される光信号を電気的信号に変換する光検出器と、
前記光検出器内の複数の光検出片からの電気的信号を合算して再生信号として提供するプリアンプとを含むことを特徴とする請求項３８に記載のデータ検出装置。
【請求項４２】
前記再生信号の波形を整形する波形整形手段をさらに含むことを特徴とする請求項３８に記載のデータ検出装置。
【請求項４３】
前記波形整形手段から出力される波形整形された再生信号を量子化する量子化手段をさらに含む請求項４２に記載のデータ検出装置。
【請求項４４】
前記量子化手段の出力信号に同期された再生クロック信号を生成して、前記量子化手段、二値化手段及び補正手段に提供するクロック生成手段をさらに含むことを特徴とする請求項４３に記載のデータ検出装置。
【請求項４５】
前記量子化手段の出力について波形整形する等化器をさらに含むことを特徴とする請求項４３に記載のデータ検出装置。
【請求項４６】
前記等化器の出力信号に同期された再生クロック信号を生成して、前記等化器、前記二値化手段及び前記補正手段に提供するクロック生成手段をさらに含むことを特徴とする請求項４５に記載のデータ検出装置。
【請求項４７】
前記波形整形手段は、
前記再生信号に含まれたＤＣオフセットを除去するＤＣオフセット除去器と、
前記ＤＣオフセット除去器を経た再生信号の波形を整形する等化器と、
前記等化器の出力を低域フィルタリングするＬＰＦとを含むことを特徴とする請求項４２に記載のデータ検出装置。
【請求項４８】
前記波形整形手段は、
前記再生信号に載せられたＤＣオフセットを除去するＨＰＦと、
前記ＨＰＦの出力を低域フィルタリングするＬＰＦと、を含むことを特徴とする請求項４２に記載のデータ検出装置。
【請求項４９】
前記二値化手段はスライサーで構成されることを特徴とする請求項３８に記載のデータ検出装置。
【請求項５０】
前記二値化手段はＰＲＭＬ回路で構成されることを特徴とする請求項３８に記載のデータ検出装置。
【請求項５１】
ｎＴ長さ（Ｔは、記録または再生時の基本クロック信号の周期であり、ｎは整数）を持つ情報データが保存された情報保存媒体からデータを検出し、それを評価する装置において、
前記情報保存媒体から読み取られた光信号を電気的信号に変換して再生信号を提供する変換手段と、
前記再生信号を二値化し、二値化された信号を提供する二値化手段と、
前記二値化された信号のランレングスを補正する補正手段と、
前記補正手段の出力についてのエラー率を計数してデータ検出性能を評価するエラー率検出手段と、を含むデータ評価装置。
【請求項５２】
前記補正手段は、前記二値化された信号のランレングスを補正するに当って、ランレングスが（ｎ±１）Ｔとエラーが発生した信号をｎＴに補正することを特徴とする請求項５１に記載のデータ評価装置。
【請求項５３】
前記再生信号に同期された再生クロック信号を生成して、前記二値化手段及び前記補正手段に提供するクロック生成手段をさらに含むことを特徴とする請求項５１に記載のデータ評価装置。
【請求項５４】
前記再生クロック信号によって前記二値化された信号の品質を評価する評価手段をさらに含むことを特徴とする請求項５３に記載のデータ評価装置。
【請求項５５】
前記変換手段は、
入力される光信号を電気的信号に変換する光検出器と、
前記光検出器内の複数の光検出片からの電気的信号を合算して再生信号として提供するプリアンプとを含むことを特徴とする請求項５１に記載のデータ評価装置。
【請求項５６】
前記再生信号の波形を整形する波形整形手段をさらに含むことを特徴とする請求項５１に記載のデータ評価装置。
【請求項５７】
前記波形整形手段から出力される波形整形された再生信号を量子化する量子化手段をさらに含む請求項５６に記載のデータ評価装置。
【請求項５８】
前記量子化手段の出力信号に同期された再生クロック信号を生成して、前記量子化手段、前記二値化手段及び前記補正手段に提供するクロック生成手段をさらに含むことを特徴とする請求項５７に記載のデータ評価装置。
【請求項５９】
前記量子化手段の出力について波形整形する等化器をさらに含むことを特徴とする請求項５７に記載のデータ評価装置。
【請求項６０】
前記等化器の出力をアナログ信号に変換するＤ／Ａ変換器と、
前記Ｄ／Ａ変換器の出力を低域フィルタリングするＬＰＦと、
再生クロック信号によって前記二値化された信号の品質を評価する評価手段とをさらに含むことを特徴とする請求項５９に記載のデータ評価装置。
【請求項６１】
前記等化器の出力信号に同期された再生クロック信号を生成して、前記等化器、前記Ｄ／Ａ変換器、前記二値化手段及び前記補正手段に提供するクロック生成手段をさらに含むことを特徴とする請求項６０に記載のデータ評価装置。
【請求項６２】
前記波形整形手段は、
前記再生信号に含まれたＤＣオフセットを除去するＤＣオフセット除去器と、
前記ＤＣオフセット除去器を経たＲＦ再生信号の波形を整形する等化器と、
前記等化器の出力を低域フィルタリングするＬＰＦとを含むことを特徴とする請求項５６に記載のデータ評価装置。
【請求項６３】
前記波形整形手段は、
前記再生信号に載せられたＤＣオフセットを除去するＨＰＦと、
前記ＨＰＦの出力を低域フィルタリングするＬＰＦとを含むことを特徴とする請求項５６に記載のデータ評価装置。
【請求項６４】
前記二値化手段はスライサーで構成されることを特徴とする請求項５１に記載のデータ評価装置。
【請求項６５】
前記二値化手段はＰＲＭＬ回路で構成されることを特徴とする請求項５１に記載のデータ評価装置。
【請求項６６】
情報保存媒体に情報データを記録する方法において、
入力される情報データの記録／再生時、基本クロック周期Ｔを持つ第１クロック信号によって所定変調方式により変調して変調ストリームを提供する段階と、
前記変調ビットストリームについてｎＴ（ｎは整数）長さのピットで成形するために、前記第１クロック信号の所定倍数の第２クロック信号によってビットを拡張し、拡張されたビットストリームを提供する段階とを含むデータ記録方法。
【請求項６７】
少なくとも第１領域及び第２領域を持つ情報保存媒体に情報データを記録する方法において、
入力される情報データを第１変調方式により変調する段階と、
入力される情報データを第２変調方式により変調する段階と、
前記第１変調方式により変調されたデータは前記第１領域に記録し、前記第２変調方式により変調されたデータは前記第２領域に記録する段階とを含み、
前記第２変調方式により変調されたデータは、前記第１変調方式により媒体上に形成されたピットやスペースのうち一部のみを使用することを特徴とするデータ記録方法。
【請求項６８】
前記第１変調方式により変調する段階では、ユーザーデータの記録または再生時、基本クロック信号の周期を持つ変調クロック信号によってＲＬＬ（ｄ，ｋ）変調方式により変調して同期パターンを挿入することを特徴とする請求項６７に記載のデータ記録方法。
【請求項６９】
前記第２変調方式により変調する段階は、
付加情報データを前記変調クロック信号を分周するクロック信号によってバイフェーズ変調し、前記第１変調方式により変調する段階で同期パターンとして使われる最長ピットやスペースを同期パターンに挿入する段階と、
前記バイフェーズ変調段階で変調されたビットストリームについてビットを拡張する段階とを含む請求項６８に記載のデータ記録方法。
【請求項７０】
前記ビット拡張段階では、前記バイフェーズ変調段階で変調されたビットストリームについて、前記変調クロック信号によってオーバーサンプリングまたはゼロビット拡張を行うことを特徴とする請求項６９に記載のデータ記録方法。
【請求項７１】
情報保存媒体に保存されたデータを再生する方法において、
前記情報保存媒体から再生される再生信号に同期された第１クロック信号を生成し、前記第１クロック信号を所定数でデシメーションされた第２クロック信号を生成する段階と、
前記再生信号を、前記第２クロック信号によって記録する時に使われた変調方式に対応して復元し、復元された情報データを提供する段階とを含むデータ再生方法。
【請求項７２】
少なくとも第１変調方式により変調されたデータを保存する第１領域と、第２変調方式により変調されたデータを保存する第２領域とを含む情報保存媒体に保存されたデータを再生する方法において、
情報保存媒体から読み取られた再生信号を二値化し、二値化された再生信号を提供する段階と、
前記二値化された再生信号を、再生クロック信号によって前記第１変調方式に対応した第１復調方式により復元する段階と、
前記二値化された再生信号を、前記再生クロック信号の１／Ｎにデシメーションされたクロック信号によって、前記第２変調方式に対応した第２復調方式により復元する段階とを含むデータ再生方法。
【請求項７３】
前記方法は、
前記二値化された再生信号から再生クロック信号を生成し、前記再生クロック信号を所定数でデシメーションしたクロック信号を生成する段階をさらに含む請求項７２に記載のデータ再生方法。
【請求項７４】
ｎＴ長さ（Ｔは、記録または再生時の基本クロック信号の周期であり、ｎは整数）を持つ情報データが保存された情報保存媒体からデータを検出する方法において、
前記情報保存媒体から再生される再生信号を二値化し、二値化された信号を提供する段階と、
前記二値化された信号のランレングスを補正する段階と、を含むデータ検出方法。
【請求項７５】
前記ランレングス補正段階では、前記二値化された信号のランレングスが（ｎ±１）Ｔとエラーが発生した信号をｎＴに補正することを特徴とする請求項７４に記載のデータ検出方法。
【請求項７６】
ｎＴ長さ（Ｔは、記録または再生時の基本クロック信号の周期であり、ｎは整数）を持つ情報データが保存された情報保存媒体からデータを検出し、それを評価する方法において、
前記情報保存媒体から再生される再生信号を二値化し、二値化された信号を提供する段階と、
前記二値化された信号のランレングスを補正し、補正された信号を提供する段階と、
前記補正された信号のエラー率を計数してデータ検出性能を評価する段階と、を含むデータ評価方法。
【請求項７７】
前記補正段階では、前記二値化された信号のランレングスが（ｎ±１）Ｔとエラーが発生した信号をｎＴに補正することを特徴とする請求項７６に記載のデータ評価方法。
【請求項７８】
調整されて変調されたビットストリームを前記情報保存媒体に記録する記録部をさらに含むことを特徴とする請求項２１に記載のデータ記録装置。
【請求項７９】
情報データを記録するためのランレングスを持つピットを含む情報保存媒体であって、前記情報データは、
ｎＴのランレングスを持って（ｎ±１）Ｔのランレングスを持たないように形成されたピットについてランレングスを決定する段階と、
前記（ｎ±１）Ｔのランレングスを持つピットを形成しないために、前記決定されたｎＴランレングスを利用した前記ピットとして前記情報データを記録する段階とを含み、
ここで、Ｔは記録及び再生データのための基本クロック信号の周期であり、ｎは整数であることを特徴とする情報保存媒体。
【請求項８０】
前記記録保存媒体は、第１領域及び前記第１領域以外の領域に存在する第２領域を含み、
前記第１領域に記録された情報データの一部は第１変調方法を利用して記録され、
前記第２領域に記録された情報データの他の部分は、前記第１変調方法と異なる第２変調方法を利用して前記第２領域に記録される請求項７９に記載の情報保存媒体。
【発明の詳細な説明】
【技術分野】
【０００１】
本発明は情報保存媒体、データ記録、再生、検出及び／または評価装置及びその方法に係り、特に情報データが保存される領域及び／またはユーザー情報データ領域以外の領域のデータがｎＴ長さのピットで成形された情報保存媒体、データ記録、再生、検出及び／または評価装置及びその方法に関する。
【背景技術】
【０００２】
一般的に光ディスクは、光ピックアップ装置により非接触式に情報を記録／再生する情報保存媒体として広く使われ、情報記録容量によってコンパクトディスク（ＣＤ）、デジタル多機能ディスク（ＤＶＤ）に区分される。そして、記録、消去及び再生が可能な光ディスクには、６５０ＭＢ（メガバイト）ＣＤ−Ｒ（レコーダブル）、ＣＤ−ＲＷ（リライタブル）、４．７ＧＢ（ギガバイト）ＤＶＤ＋ＲＷなどがあり、再生専用には６５０ＭＢ  ＣＤ、４．７ＧＢ  ＤＶＤ−ＲＯＭなどがある。さらには、記録容量が２３ＧＢ以上のＨＤ（高密度）−ＤＶＤも開発されている。
【０００３】
現在まで広く使われている光ディスク、すなわち、ＣＤ及びＤＶＤでは、それぞれＥＦＭ（Ｅｉｇｈｔ  Ｆｏｕｒｔｅｅｎ  Ｍｏｄｕｌａｔｉｏｎ）変調方式と、ＥＦＭ＋（Ｅｉｇｈｔ  Ｆｏｕｒｔｅｅｎ  Ｍｏｄｕｌａｔｉｏｎ  Ｐｌｕｓｅ）変調方式が使われ、この変調方式は最小拘束長（ｄ）、最大拘束長（ｋ）を満足させるＲＬＬ（Ｒｕｎ  Ｌｅｎｇｔｈ  Ｌｉｍｉｔｅｄ）（ｄ，ｋ）変調方式であり、さらに具体的には、ＲＬＬ（２，１０）変調方式を採用して最小ピットを３Ｔ（Ｔ：記録／再生時、基本クロック周期またはチャンネルクロックの１周期に該当）とし、４Ｔ、５Ｔ、…１１Ｔの長さでディスク上にピットが成形されている。さらに他の変調方式には、ＭＯＤＤ（光磁気ディスクドライブ）などに使われたＲＬＬ（１，７）変調方式があるが、最小ピットを２Ｔとし、３Ｔ、４Ｔ、…８Ｔの長さでディスク上にピットが成形されている。
【０００４】
図１は、従来技術によるＲＬＬ（１，７）変調方式を利用して最小ピットを２Ｔとした時、３Ｔ、４Ｔ、…のようにピットをディスクに成形する場合、そのピットのヒストグラムを表している。図１に示されたようなディスクに成形されたピットを検出または評価する従来のデータ評価装置は、図２に示されている。
【０００５】
図２を参照するに、光検出器２１は、ディスクから反射されて入力される光信号を電気的信号に変換する。ここで、光検出器２１が例えば、４分割されていれば、左側上段の光検出片をＡ、右側上段の光検出片をＢ、右側下段の光検出片をＣ、左側下段の光検出片をＤとすれば、プリアンプ２２は、各光検出片Ａ、Ｂ、Ｃ、Ｄからの電気的信号を合算して和信号（Ａ＋Ｂ＋Ｃ＋Ｄ）を提供するが、この和信号をＲＦ（高周波）信号と称する。ＤＣオフセット除去器２３は、プリアンプ２２から出力されるＲＦ信号のＤＣオフセットを除去する。等化器２４は、ＤＣオフセット除去器２３を経たＲＦ信号をブーストし、低域ろ波器（ＬＰＦ）２５を通じて高周波ノイズを低減させ、スライサー２６を通じてアナログＲＦ信号を二値化させる。二値化されたＲＦ信号に同期される再生クロック信号をＰＬＬ回路２７を利用して発生させる。評価器２８は、ジッタ分析器またはタイミング間隔分析器（ＴＩＡ）で構成され、スライサー２６から提供される二値化されたＲＦ信号及びＰＬＬ回路２７で生成された再生クロック信号を入力してジッターを測定するか、ＴＩＡを利用して二値化されたＲＦ信号のヒストグラムを分析して再生信号の品質を評価する。
【０００６】
図３は、図２に示された評価器２８内のＴＩＡから検出されたピット（二値化信号）の実際ヒストグラムであり、一般的なＲＬＬ（１，７）変調方式であり、ピット及びスペースが２Ｔ〜８Ｔの長さ範囲を持ち、データの長さ範囲（２Ｔ〜８Ｔ）以外のピット及びスペースとなっている９Ｔを使用して同期パターンを構成し、光ディスク上にピットが成形された場合の再生信号についてのヒストグラムである。各Ｔを中心に重なる部分がエラーが発生する部分である。図では、点線を基準に２つのヒストグラムがオーバーラップされる部分が隣接する他のＴに移る、すなわち、エラーが発生する部分となる。したがって、光ディスク上にはピットやスペースが、制限されたランレングス範囲内でＴ間隔で形成されることが一般的であり、この場合、図３に示されたヒストグラムのようにオーバーラップされる部分はエラーとなるという問題点があった。
【発明の開示】
【発明が解決しようとする課題】
【０００７】
したがって、本発明の目的は、情報データをｎＴ長さのピットで成形し、かつ（ｎ±１）Ｔ長さのピットでは成形しない情報保存媒体、データ記録、再生、検出及び／または評価装置とその方法を提供するところにある。
【０００８】
本発明の他の目的は、ユーザー情報データ領域以外の領域のデータをｎＴ長さのピットで成形し、かつ（ｎ±１）Ｔ長さのピットでは成形しない情報保存媒体、データ記録、再生、検出及び／または評価装置とその方法を提供するところにある。
【０００９】
本発明のさらに他の目的は、領域によって情報データが相異なる変調方式で記録された情報保存媒体、記録及び／または再生装置及びその方法を提供するところにある。
【００１０】
本発明のさらに他の目的は、ユーザー領域内の情報データはＲＬＬ（ｄ，ｋ）変調方式を使用し、付加情報領域内の情報データはバイフェーズ変調方式を使用して記録した情報保存媒体、記録及び／または再生装置及びその方法を提供するところにある。
【００１１】
本発明のさらに他の目的は、ユーザー領域内のピットやスペースの一部のみを付加情報領域内で使用して情報データが記録された情報保存媒体、記録及び／または再生装置及びその方法を提供するところにある。
【課題を解決するための手段】
【００１２】
本発明によって、前記の目的は、情報データが所定の変調方式により変調され、変調されたビットストリームについてビットを拡張させ、拡張されたビットストリームで記録され、前記情報データはｎＴ長さのピットを成形し、かつ（ｎ±１）Ｔ長さのピットは成形せず、前記Ｔは、記録または再生時の基本クロック信号の周期であり、ｎは整数であることを特徴とする情報保存媒体により達成される。
【００１３】
また、前記目的は、第１変調方式により変調されたデータを保存する第１領域と、第２変調方式により変調されたデータを保存する第２領域とを含み、前記第２変調方式により変調されたデータは、前記第１変調方式により媒体上に形成されたピットやスペースのうち一部のみを使用して保存されることを特徴とする情報保存媒体により達成される。
【００１４】
本発明の他の分野によれば、前記目的は、情報保存媒体に情報データを記録する装置において、入力される情報データの記録または再生時、基本クロック周期Ｔを持つ第１クロック信号によって所定変調方式により変調する変調手段と、前記変調手段から出力される変調されたビットストリームについて、ｎＴ（ｎは整数）長さのピットで成形するために、前記第１クロック信号の所定倍数の第２クロック信号によってビットを拡張するビット拡張器と、を含むデータ記録装置により達成される。
【００１５】
前記目的は、少なくとも第１領域及び第２領域を持つ情報保存媒体に情報データを記録する装置において、入力される情報データを第１変調方式により変調する第１変調手段と、入力される情報データを第２変調方式により変調する第２変調手段と、前記第１変調手段により変調されたデータは前記第１領域に記録し、前記第２変調手段により変調されたデータは前記第２領域に記録する記録手段とを含み、前記第２変調方式により変調されたデータは、前記第１変調方式により媒体上に形成されたピットやスペースのうち一部のみを使用することを特徴とするデータ記録装置により達成される。
【００１６】
前記目的は、情報保存媒体に保存されたデータを再生する装置において、前記情報保存媒体から再生される再生信号に同期された第１クロック信号を生成し、前記第１クロック信号を所定数でデシメーションした第２クロック信号を生成するクロック生成手段と、前記再生信号を前記第２クロック信号によって記録時、使われた変調方式に対応した復調方式により復元し、復元された情報データを提供する復元手段とを含むデータ再生装置により達成される。
【００１７】
前記目的は、少なくとも第１変調方式により変調されたデータを保存する第１領域と、第２変調方式により変調されたデータを保存する第２領域とを含む情報保存媒体に保存されたデータを再生する装置において、前記情報保存媒体から読み取られた再生信号を二値化し、二値化された再生信号を提供する二値化手段と、前記二値化された再生信号から再生クロック信号を生成し、前記再生クロック信号を所定数でデシメーションしたクロック信号を生成するクロック生成手段と、前記二値化された再生信号を前記再生クロック信号によって前記第１変調方式に対応した第１復調方式により復元する第１復元手段と、前記二値化された再生信号を、前記デシメーションされたクロック信号によって前記第２変調方式に対応した第２復調方式により復元する第２復元手段とを含むデータ再生装置により達成される。
【００１８】
前記目的は、ｎＴ長さ（Ｔは、記録または再生時の基本クロック信号の周期であり、ｎは整数）を持つ情報データが保存された情報保存媒体からデータを検出する装置において、前記情報保存媒体から読み取られた光信号を電気的信号に変換して再生信号を提供する変換手段と、前記再生信号を二値化し、二値化された信号を提供する二値化手段と、前記二値化された信号のランレングスを補正する補正手段とを含むデータ検出装置により達成される。
【００１９】
前記目的は、ｎＴ長さ（Ｔは、記録または再生時の基本クロック信号の周期であり、ｎは整数）を持つ情報データが保存された情報保存媒体からデータを検出し、それを評価する装置において、前記情報保存媒体から読み取られた光信号を電気的信号に変換して再生信号を提供する変換手段と、前記再生信号を二値化し、二値化された信号を提供する二値化手段と、前記二値化された信号のランレングスを補正する補正手段と、前記補正手段の出力についてのエラー率を計数してデータ検出性能を評価するエラー率検出手段とを含むデータ評価装置により達成される。
【００２０】
本発明のさらに他の分野によれば、前記目的は、情報保存媒体に情報データを記録する方法において、入力される情報データの記録／再生時、基本クロック周期Ｔを持つ第１クロック信号によって所定変調方式により変調して変調ストリームを提供する段階と、前記変調ビットストリームについてｎＴ（ｎは整数）長さのピットで成形するために、前記第１クロック信号の所定倍数の第２クロック信号によってビットを拡張し、拡張されたビットストリームを提供する段階とを含むデータ記録方法により達成される。
【００２１】
前記目的は、少なくとも第１領域及び第２領域を持つ情報保存媒体に情報データを記録する方法において、入力される情報データを第１変調方式により変調する段階と、入力される情報データを第２変調方式により変調する段階と、前記第１変調方式により変調されたデータは前記第１領域に記録し、前記第２変調方式により変調されたデータは前記第２領域に記録する段階とを含み、前記第２変調方式により変調されたデータは、前記第１変調方式により媒体上に形成されたピットやスペースのうち一部のみを使用することを特徴とするデータ記録方法により達成される。
【００２２】
前記目的は、情報保存媒体に保存されたデータを再生する方法において、前記情報保存媒体から再生される再生信号に同期された第１クロック信号を生成し、前記第１クロック信号を所定数でデシメーションされた第２クロック信号を生成する段階と、前記再生信号を、前記第２クロック信号によって記録時に使われた変調方式に対応して復元し、復元された情報データを提供する段階とを含むデータ再生方法により達成される。
【００２３】
前記目的は、少なくとも第１変調方式により変調されたデータを保存する第１領域と、第２変調方式により変調されたデータを保存する第２領域とを含む情報保存媒体に保存されたデータを再生する方法において、情報保存媒体から読み取られた再生信号を二値化し、二値化された再生信号を提供する段階と、前記二値化された再生信号を、再生クロック信号によって前記第１変調方式に対応した第１復調方式により復元する段階と、前記二値化された再生信号を、前記再生クロック信号の１／Ｎにデシメーションされたクロック信号によって、前記第２変調方式に対応した第２復調方式により復元する段階とを含むデータ再生方法により達成される。
【００２４】
前記目的は、ｎＴ長さ（Ｔは、記録または再生時の基本クロック信号の周期であり、ｎは整数）を持つ情報データが保存された情報保存媒体からデータを検出する方法において、前記情報保存媒体から再生される再生信号を二値化し、二値化された信号を提供する段階と、前記二値化された信号のランレングスを補正する段階とを含むデータ検出方法により達成される。
【００２５】
前記目的は、ｎＴ長さ（Ｔは、記録または再生時の基本クロック信号の周期であり、ｎは整数）を持つ情報データが保存された情報保存媒体からデータを検出し、それを評価する方法において、前記情報保存媒体から再生される再生信号を二値化し、二値化された信号を提供する段階と、前記二値化された信号のランレングスを補正し、補正された信号を提供する段階と、前記補正された信号のエラー率を計数してデータ検出性能を評価する段階とを含むデータ評価方法により達成される。
【発明を実施するための最良の形態】
【００２６】
以下、添付された図面を参照して本発明の望ましい実施例を説明する。
【００２７】
まず、ユーザーデータ情報領域と付加情報領域とに相異なる変調方式を使用して情報データを記録するが、付加情報領域にはｎＴ長さのピットが成形され、（ｎ±１）Ｔ長さのピットは成形されない例を説明する。
【００２８】
図４は、本発明による情報保存媒体のレイアウトを示した図であり、ユーザーデータ情報領域（以下、ユーザー領域と略称する）とその他の領域（本発明では、付加情報領域と称する）とがある。少なくとも一つ以上の付加情報領域とユーザー領域とよりなり、図には付加情報領域がユーザー領域以前に位置しているが、その位置及び領域の数が固定されたものではない。この付加情報領域には、コピー保護関連情報、ディスク製造企業関連情報、コンテンツ提供者関連情報、コンテンツ所有権関連情報、コンテンツ規格関連情報、またはユーザー領域内のデータについてのエラー訂正のための付加情報などが記録されうる。この付加情報領域は、ディスクの種類によってデータリンクブロックやランイン／アウト領域などのいろいろな名称で称し得る。
【００２９】
本発明の情報保存媒体上のユーザー領域は、ＲＬＬ（ｄ，ｋ）変調方式を採用してＲＬＬ（２，１０）やＲＬＬ（１，７）変調を使用するが、付加情報領域には、ＲＬＬ（２，１０）やＲＬＬ（１，７）変調でそれぞれ現れる３Ｔ〜１１Ｔまたは２Ｔ〜８Ｔのうち一部のみ使用した変調方式を採用する。同期パターンは、ユーザー領域や付加情報領域で共通的に同じピットやスペースを利用する。ＲＬＬ（１，７）変調方式の場合、例えば、ピットやスペースを含んで９Ｔの同期パターンとして使用し、ＲＬＬ（２，１０）コードの場合は、例えば、ピットやスペースを含んで１２Ｔの同期パターンとして使用する。したがって、付加情報領域は、ＲＬＬ（２，１０）やＲＬＬ（１，７）変調方式でそれぞれ現れる３Ｔ〜１１Ｔまたは２Ｔ〜８Ｔのうち一部のピットやスペースを利用してバイフェーズ変調して情報を保存する。
【００３０】
バイフェーズ変調に使われる情報はｎＴ及び２ｎＴのピット及びスペースよりなっており、ｎは整数であって２≦ｎ≦５を満足する範囲内で使用する。ｎの範囲を制限する理由は、同期パターンとして使われるピットやスペースの長さを考慮した時、２ｎＴが同期パターン内の最長ピットやスペースより長くてはならないためである。
【００３１】
例えば、ＲＬＬ（１，７）変調方式をユーザー領域で使用する場合、ユーザー領域以外ではバイフェーズ変調のためのピットやスペースとして３Ｔ及び６Ｔを利用し、同期パターンとしては９Ｔを含める。
【００３２】
図５は、バイフェーズ変調によるデータ変調は３Ｔ及び６Ｔを利用し、同期パターンは９Ｔを使用して記録した後、図４に示された付加情報領域から再生したピット及びスペースのヒストグラムを示した図である。付加情報領域は、バイフェーズ変調によりピットやスペースとして３Ｔ及び６Ｔを利用し、同期パターンとしては９Ｔを含めて記録した場合、再生時に時々３Ｔが２Ｔや４Ｔと読み取られることがあるが、いずれも３Ｔに訂正できる。同じく、６Ｔのピットやスペースが５Ｔ、７Ｔと間違って認識されることがあるが、６Ｔに訂正できる。同期パターンで使われる９Ｔのピットやスペースも８Ｔ、１０Ｔと読み取られることがあるが、いずれも９Ｔに訂正できる。なぜなら、ユーザー領域以外の付加情報領域で使用するピットやスペースとして、ユーザー領域内で使用するピットやスペースを使用し、ＲＬＬ（１，７）の場合に３Ｔ、６Ｔ、９Ｔのみを使用するので、２Ｔ、４Ｔはこれに近い３Ｔに、５Ｔ、７Ｔはこれに近い６Ｔに、８Ｔ、１０Ｔはこれに近い９Ｔに修正できる。
【００３３】
さらに他の実施例で、ＲＬＬ（２，１０）変調方式をユーザー領域で使用する場合、ユーザー領域以外ではバイフェーズ変調のためのピットやスペースとして４Ｔ及び８Ｔを利用し、同期パターンとして１２Ｔを含めて記録する場合、再生時に前記と同じ理由で、３Ｔ、５Ｔはこれに近い４Ｔに、７Ｔ、９Ｔはこれに近い８Ｔに、１１Ｔ、１３Ｔはこれに近い１２Ｔに修正できる。このような方式で情報を保存する場合、通常の変調方式であるＲＬＬ（１，７）、ＲＬＬ（２，１０）変調方式より検出窓幅を３倍以上広げることができるために、データエラーを減らすことができる。
【００３４】
図６は、本発明による記録装置の一実施例によるブロック図である。図６を参照するに、第１変調器＆同期挿入器６１は、クロックレート変換器６３で生成される変調クロック信号（ＥｘｐＣＬＫ）によって入力されるユーザー領域に記録されるデータについてＲＬＬ（ｄ，ｋ）変調、例えば、ＲＬＬ（１，７）またはＲＬＬ（２，１０）変調を行い、同期パターンを挿入する。すなわち、ＲＬＬ（１，７）変調方式では、データが２Ｔ〜８Ｔの長さを持つピット及びスペースで記録され、ピット及びスペースよりなる９Ｔの同期パターンを挿入する。ＲＬＬ（２，１０）変調方式では、データが（３Ｔ−１１Ｔ）の長さを持つピット及びスペースで記録され、ピット及びスペースよりなる１２Ｔの同期パターンを挿入する。
【００３５】
第２変調器＆同期挿入器６２は、クロックレート変換器６３で生成されるバイフェーズクロック信号（ＢｉｐＣＬＫ）によって入力される付加情報領域に記録される情報データについてバイフェーズ変調を行い、同期パターンを挿入する。例えば、ユーザー領域に記録されるデータがＲＬＬ（１，７）変調を行ったならば、バイフェーズ変調方式により記録されるデータはｎＴ及び２ｎＴのピット及びスペースよりなり、ｎは２≦ｎ≦４範囲内にあることが望ましい。ｎが２≦ｎ≦４範囲内にある時、ｎＴ及び２ｎＴのピット及びスペースよりなるデータは、いずれもＲＬＬ（１，７）変調方式によるピット及びスペース長さ範囲内に含まれる。特に、ｎを３として、バイフェーズ変調のためのピットやスペースとして３Ｔ及び６Ｔを利用し、同期パターンに９Ｔを含める。同じく、ユーザー領域に記録されるデータがＲＬＬ（２，１０）変調を行ったならば、バイフェーズ変調方式により記録されるデータはｎＴ及び２ｎＴのピット及びスペースよりなり、ｎは２≦ｎ≦５範囲内にあることが望ましい。特に、ｎを４として、バイフェーズ変調のためのピットやスペースとして４Ｔ及び８Ｔを利用し、同期パターンに１２Ｔを含める。このようにバイフェーズ変調方式によるピット及びスペースの周期を、ユーザー領域で使用しているピット及びスペースの周期範囲内で使用する時、再生時にいずれも同じＰＬＬ回路を利用して再生できるという利点がある。
【００３６】
クロックレート変換器６３は、記録／再生基本クロックの一周期（Ｔ）の速度に該当する変調クロック信号（ＥｘｐＣＬＫ）を所定数（Ｎ）で分周してバイフェーズクロック信号（ＢｉｐＣＬＫ）を発生させ、変調クロック信号（ＥｘｐＣＬＫ）は、第１変調器＆同期挿入器６１、ビット拡張器６４及び記録波形発生器６６に提供し、バイフェーズクロック信号（ＢｉｐＣＬＫ）は第２変調器＆同期挿入器６２に提供する。
【００３７】
ビット拡張器６４は、変調クロック信号（ＥｘｐＣＬＫ）によって第２変調器＆同期挿入器６２から出力される変調されたビットストリームをオーバーサンプリングまたはゼロビット拡張をする。
【００３８】
オーバーサンプリングの例は、バイフェーズ変調後のビットストリームが０１０１００１１である場合、このビットストリームは変調クロック信号（ＥｘｐＣＬＫ）の１／３に分周された（３倍に逓倍された）バイフェーズクロック信号（ＢｉｐＣＬＫ）によって動作され、このビットストリームを変調クロック信号（ＥｘｐＣＬＫ）によって０は０００に、１は１１１にオーバーサンプリングする。それにより、ビット拡張器６４では、変調クロック信号（ＥｘｐＣＬＫ）によって、０００１１１０００１１１００００００１１１１１１とバイフェーズ変調されたビットストリームを３倍にオーバーサンプリングして出力させる。
【００３９】
ゼロビット拡張の例は、バイフェーズ変調後のビットストリームが０１００１０１０００１である場合、このビットストリームは、変調クロック信号（ＥｘｐＣＬＫ）の１／３に分周された（３倍に逓倍された）バイフェーズクロック信号（ＢｉｐＣＬＫ）によって動作され、このビットストリームを変調クロック信号（ＥｘｐＣＬＫ）によって０は０００に、１は１００にゼロビットを拡張する。それにより、ビット拡張器６４では、変調クロック信号（ＥｘｐＣＬＫ）によって０００１００００００００１０００００１０００００００００００１００とバイフェーズ変調されたビットストリームにゼロビットを拡張して出力する。
【００４０】
選択器６５は、システムコントローラー（図示せず）から提供される領域制御信号によって、ユーザー領域ならば第１変調器＆同期挿入器６１の変調ストリームを選択し、ユーザー領域以外の領域ならばビット拡張器６４の出力ストリームを選択する。記録波形発生器６６は、選択器６５により選択されたビットストリームを変調クロック信号（ＥｘｐＣＬＫ）によって最終ディスクに記録できるように、波形を生成して記録パルスを出力する。
【００４１】
図７は、本発明による再生装置の一実施例によるブロック図である。図７を参照するに、二値化器７１は情報保存媒体、すなわち、ディスクから再生されるＲＦ信号を二値化し、記録過程にあったオーバーサンプリングやゼロビット拡張によるビットを検出できるように、ＰＬＬ手段７２で記録／再生クロック信号の基本周期（Ｔ）に該当する再生クロック信号（ＰＬＬＣＬＫ）を生成して、デシメータ７３、第１ラッチ７４及び第１復調器＆同期検出器７５に提供する。デシメータ７３は、再生クロック信号（ＰＬＬＣＬＫ）を１／Ｎにデシメーションしたクロック信号（ＤｅｃＣＬＫ）を生成して、第２ラッチ７６及び第２復調器＆同期検出器７７に提供する。
【００４２】
第１ラッチ７４は、再生クロック信号（ＰＬＬＣＬＫ）によって二値化器７１から出力される二値化されたＲＦ信号をラッチし、第１復調器＆同期検出器７５は、第１ラッチ７４にラッチされたデータを、再生クロック信号（ＰＬＬＣＬＫ）によって変調時に使われた変調方式に対応して復調し、同期パターンを検出する。第２ラッチ７６は、デシメーションされたクロック信号（ＤｅｃＣＬＫ）によって二値化器７１から出力される二値化されたＲＦ信号をラッチし、第２復調器＆同期検出器７７は、第２ラッチ７６にラッチされたデータを、デシメーションされたクロック信号（ＤｅｃＣＬＫ）によって変調時に使われた変調方式に対応して復調し、同期パターンを検出する。
【００４３】
選択器７８は、領域制御信号によって、ユーザー領域ならば、第１復調器＆同期検出器７６から出力される復元されたユーザーデータを提供し、ユーザー領域以外の付加情報領域ならば、第２復調器＆同期検出器７７から出力される復元された付加情報データを提供する。
【００４４】
次いで、本発明で提案する付加情報領域だけでなくユーザー情報領域にもｎＴ長さのピットを成形し、かつ（ｎ±１）Ｔ長さのピットを成形しない実施例を説明する。
【００４５】
図８は、本発明によるデータ記録装置の他の実施例によるブロック図である。図８を参照するに、変調器＆同期挿入器８１は情報保存媒体、すなわち、ディスクに記録しようとする情報データについて変調を行った後に同期パターンを挿入し、この時に変調クロック信号（ＢｉｐＣＬＫ）を使用する。クロックレート変換器８２は変調に使われる変調クロック信号（ＢｉｐＣＬＫ）をＮ倍逓倍するが、Ｎ×ＢｉｐＣＬＫの逓倍されたクロック信号（ＥｘｐＣＬＫ）を生成させてビット拡張器８３及び記録波形発生器８４に提供する。クロックレート変換器８２は、変調時に使われるクロック信号からビットストリームの拡張や記録用として使われるクロック信号を逓倍することもあり、ビットストリームの拡張や記録用として使われるクロック信号から変調時に使われるクロック信号を分周することもある。
【００４６】
ここでは、変調後のビットストリームを逓倍されたクロック信号（ＥｘｐＣＬＫ）によってオーバーサンプリングまたはゼロビット拡張することを例とする。
【００４７】
前述したように、オーバーサンプリングは、変調を例としてバイフェーズ変調を行った場合、変調後のビットストリームが０１０１００１１である場合にこのビットストリームは逓倍されたクロック信号（ＢｉｐＣＬＫ）によって動作され、このビットストリームは、逓倍されたクロック信号（ＥｘｐＣＬＫ）が変調クロック信号（ＢｉｐＣＬＫ）の３逓倍されたクロックであれば、逓倍されたクロック信号（ＥｘｐＣＬＫ）によって０は０００に、１は１１１にオーバーサンプリングする。それにより、ビット拡張器８３は、逓倍されたクロック信号（ＥｘｐＣＬＫ）によって０００１１１０００１１１００００００１１１１１１とバイフェーズ変調されたビットストリームを３倍にオーバーサンプリングして出力する。
【００４８】
ゼロビット拡張は、変調を例としてＲＬＬ（１，７）変調を行った場合、変調後のビットストリームが０１００１０１０００１である場合にこのビットストリームは変調クロック信号（ＢｉｐＣＬＫ）によって動作され、このビットストリームは、逓倍されたクロック信号（ＥｘｐＣＬＫ）が変調クロック信号（ＢｉｐＣＬＫ）の３逓倍されたクロックであれば、逓倍されたクロック信号（ＥｘｐＣＬＫ）によって０は０００に、１は１００にゼロビットを拡張する。それにより、ビット拡張器８３は、逓倍されたクロック信号（ＥｘｐＣＬＫ）によって０００１００００００００１０００００１０００００００００００１００とＲＬＬ（１，７）変調されたビットストリームに、ゼロビットを拡張して出力する。
【００４９】
記録波形発生器８４は、ビット拡張器８３から出力されるビットストリームを、逓倍されたクロック信号（ＥｘｐＣＬＫ）を使用して最終ディスクに記録できるように、記録パルス波形を発生させる。
【００５０】
図９は、図８に示された記録装置により記録されたデータ情報（ピット）のヒストグラムを示した図であり、ディスクにｎＴ長さのピットを成形し、かつ（ｎ±１）Ｔ長さのピットを成形しないことにより、他のＴに移るエラーを補償できる。
【００５１】
前述した記録装置によりディスクに保存された情報は、図１０に示されたようなデータ再生装置で再生されることが望ましい。
【００５２】
図１０は、本発明によるデータ再生装置の一実施例によるブロック図である。図１０を参照するに、ディスクから再生されて入力されるＲＦ信号を二値化手段１０１で二値化し、記録過程にあったオーバーサンプリングまたはゼロビット拡張によるビットを検出できるようにＰＬＬ回路１０２で再生クロック信号（ＰＬＬＣＬＫ）を発生させる。デシメータ１０３は、再生クロック信号（ＰＬＬＣＬＫ）を１／Ｎにデシメーションし、デシメーションされたクロック信号（ＤｅｃＣＬＫ）を生成する。ラッチ１０４は、１／Ｎにデシメーションされたクロック信号（ＤｅｃＣＬＫ）を利用して二値化されたＲＦ信号をラッチし、復調器＆同期検出器１０５でラッチされたデータ及びデシメーションされたクロック信号（ＤｅｃＣＬＫ）を利用して同期検出及び復調を行い、復元された情報データを提供する。
【００５３】
図１１（Ａ）ないし図１１（Ｋ）は、図８及び図１０で説明したデータ記録及び再生過程を示したタイミング図である。図１１（Ａ）ないし図１１（Ｅ）は、データ記録過程であって、図８と結びつけて説明することもあり、図１１（Ｆ）ないし図１１（Ｋ）は、データ再生過程であって図１０と結びつけて説明することもある。
【００５４】
図１１（Ａ）は、クロックレート変換器８２から提供される変調クロック信号（ＢｉｐＣＬＫ）であり、図１１（Ｂ）は、変調器＆同期挿入器８１に入力される情報データであり、図１１（Ｃ）は、変調器＆同期挿入器８１から出力される同期が挿入され、かつ変調を経た変調されたストリームであり、図１１（Ｄ）は、クロックレート変換器８２から生成された逓倍されたクロック信号（ＥｘｐＣＬＫ）であり、図１１（Ｅ）は、ビット拡張器８３から出力されるビット拡張されたストリームである。
【００５５】
図１１（Ｆ）は、二値化手段１０１に入力されるＲＦ信号であり、図１１（Ｇ）は、二値化手段１０１から出力される二値化されたＲＦ信号であり、図１１（Ｈ）は、ＰＬＬ回路１０２で生成された再生クロック信号（ＰＬＬＣＬＫ）であり、図１１（Ｉ）は、デシメータ１０３から提供されるデシメーションされたクロック信号（ＤｅｃＣＬＫ）であり、図１１（Ｊ）は、ラッチ１０４によりラッチされたデータであり、図１１（Ｋ）は、復調器＆同期検出器１０５から出力される復元された情報データである。
【００５６】
前述したように記録されたデータを再生する方法は、記録過程で分かるように、再生クロック信号（ＰＬＬＣＬＫ）の周期をＴとすれば、再生される信号にエラーがなければ式（１）に従う。
【００５７】
ｎＴ＝（ｍ・ｌ）Ｔ，ｌ＝１、２、３、…であり、ｍ≧３の自然数    （１）
エラーのない二値化されたＲＦ信号は、例えば、ｍ＝３であり、ｌ＝１、２とすれば、３Ｔ及び６Ｔである。もし、二値化されたＲＦ信号が２Ｔや４Ｔならば３Ｔに修正し、５Ｔや７Ｔならば６Ｔに修正できる。このような特性を利用して図９に示されたように、ピットが成形されたディスクから再生されるＲＦ信号を二値化してデータ検出性能を評価するデータ評価装置の一実施例によるブロック図は、図１２に示されている。図２に示された従来のデータ評価装置と比較すれば、ランレングス補正器１２９及びＢＥＲ（ビットエラーレートまたはバイトエラーレート）カウンタ１３０をさらに含んでおり、変形例として、再生性能評価器１２８、ＢＥＲカウンタ１３０なしに構成でき、このような構成をデータ検出装置と称し得る。
【００５８】
図１２を参照するに、光検出器１２１は、ディスクから反射されて入力される光信号を電気的信号に変換する。プリアンプ１２２は、各光検出片Ａ、Ｂ、Ｃ、Ｄからの電気的信号を合算して高周波再生信号（以下、ＲＦ信号）を提供する。キャパシタで構成されたＤＣオフセット除去器１２３は、プリアンプ１２２から出力されるＲＦ信号のＤＣオフセットを除去する。等化器１２４は、ＤＣオフセット除去器１２３を経たＲＦ信号を波形整形し、ＬＰＦ  １２５を通じて高周波ノイズを低減させ、スライサー１２６を通じてアナログＲＦ信号を二値化する。ＰＬＬ回路１２７は、二値化されたＲＦ信号に同期される再生クロック信号を発生させて、評価器１２８、ランレングス補正器１２９、ＢＥＲカウンタ１３０に提供し、また二値化されたＲＦ信号をラッチする。
【００５９】
評価器１２８は、ジッター分析器またはＴＩＡで構成され、スライサー１２６から提供される二値化されたＲＦ信号と、ＰＬＬ回路１２７で生成された再生クロック信号とを入力して、ジッター分析器を利用してジッターを測定するか、ＴＩＡを利用して二値化されたＲＦ信号のヒストグラムを分析して再生信号の品質及び性能を評価する。
【００６０】
ランレングス補正器１２９は、ＰＬＬ回路１２７を通じて出力される二値化されたＲＦ信号のランレングスを補正するが、すなわち、（ｎ±１）Ｔとエラーが発生した信号をｎＴに補正する。ＢＥＲカウンタ１３０は、ＰＬＬ回路１２７から提供される再生クロック信号と、ランレングス補正器１２９からランレングス補正された信号とを入力して、ランレングス補正された信号と、既知のディスクに成形されたピットの情報とを比較してエラー率を測定し、データ検出性能を評価する。
【００６１】
図１３は、図９に示されたように、ディスク上に成形されたピットを図１２に示されたデータ評価装置を通じて二値化されたデータを検出及び評価した時、ＴＩＡを通じて観測されたピットのヒストグラムである。
【００６２】
ｎ＝３、６、９の場合を本実施例で使用すれば、３Ｔ、６Ｔ、９Ｔの元来の情報以外に、（ｎ±１）Ｔである２Ｔ、４Ｔ、５Ｔ、７Ｔ、８Ｔ、１０Ｔのようなエラーが発生する。これを、ランレングス補正器１２９で、図１４に示されたような動作原理で（ｎ±１）Ｔとエラーが発生した信号をｎＴに補正すれば、２Ｔ及び４Ｔは３Ｔに補正、５Ｔ及び７Ｔは６Ｔに補正、８Ｔ及び１０Ｔは９Ｔにそれぞれ補正してエラーをいずれも補正するようになる。
【００６３】
図１５は、図１２に示されたランレングス補正器１２９を経る前に二値化されたＲＦ信号のヒストグラムを表し、図１６は、図１２に示されたランレングス補正器１２９により二値化されたＲＦ信号のランレングスが補正された以後のヒストグラムを表している。
【００６４】
図１７は、図９に示されたように、ピットが成形されたディスクから再生されるＲＦ信号を二値化してデータ検出性能を評価するデータ評価装置の他の実施例によるブロック図である。
【００６５】
図１７を参照するに、光検出器１６１は、ディスクから反射されて入力される光信号を電気的信号に変換し、プリアンプ１６２は、各光検出片Ａ、Ｂ、Ｃ、Ｄからの電気的信号を合算してＲＦ信号を提供する。高域ろ波器（Ｈｉｇｈ  Ｐａｓｓ  Ｆｉｌｔｅｒ：ＨＰＦ）１６３は、プリアンプ１６２から出力されるＲＦ信号のＤＣオフセットを除去する。第１  ＬＰＦ  １６４は、エイリアシングを防止するためにＨＰＦ  １６３によりＤＣオフセットが除去されたＲＦ信号を低域フィルタリングする。
【００６６】
Ａ／Ｄ（Ａｎａｌｏｇ  ｔｏ  Ｄｉｇｉｔａｌ）変換器１６５は、第１  ＬＰＦ  １６４からアナログＲＦ信号をデジタルＲＦデータに変換し、等化器１６６は、Ａ／Ｄ変換器１６５から出力されるデジタルＲＦデータを波形整形する。
【００６７】
ＰＬＬ回路１６８は、スイッチング手段１６７を通じてＡ／Ｄ変換器１６５から出力されるデジタルＲＦデータまたは等化器１６６を通過したＲＦデータに同期されたクロック信号を生成して、再生クロック信号が必要なＡ／Ｄ変換器１６５、Ｄ／Ａ（Ｄｉｇｉｔａｌ  ｔｏ  Ａｎａｌｏｇ）変換器１６９、再生性能評価器１７２、ランレングス補正器１７３及びＢＥＲカウンタ１７４に提供する。ここで、スイッチング手段１６７は、単にシステム設計者によってＰＬＬ回路１６８でＡ／Ｄ変換器１６５の出力を利用することもあり、等化器１６６の出力を利用して再生クロック信号を生成できることを意味する。
【００６８】
Ｄ／Ａ変換器１６９は、等化器１６６を通じて波形整形されたデジタルＲＦデータをアナログ信号に変換し、第２  ＬＰＦ  １７０は、Ｄ／Ａ変換器１６９の出力信号に含まれた量子化雑音を除去する。
【００６９】
スライサー１７１は、ディスクから再生される情報を検出するために第２  ＬＰＦ  １７０の出力を０または１として二値化し、ランレングス補正器１７３は、スライサー１７１から出力される二値化されたデータのランレングスを補正するが、（ｎ±１）Ｔとエラーが発生した信号をｎＴに補正する。ＢＥＲカウンタ１７４は、ＰＬＬ回路１６８から再生クロック信号と、ランレングス補正器１７３からランレングス補正されたデータとを入力されて、ランレングスが補正されたデータと既知のディスクに成形されたピットの情報とを比較してエラー率を測定する。ＢＥＲカウンタ１７４によりデータの検出性能を評価する。また、従来のようにジッター検出器またはＴＩＡで構成される評価器１７２で、スライサー１７１から提供される二値化されたＲＦ信号の品質を評価する。
【００７０】
図１２及び図１７に示されたスライサーの代わりに、ＰＲＭＬ（Ｐａｒｔｉａｌ  Ｒｅｓｐｏｎｓｅ  Ｍａｘｉｍｕｍ  Ｌｉｋｅｌｉｈｏｏｄ）回路のような代替手段を使用できる。
【００７１】
図１８は、図９に示されたように成形された情報をディスクから再生する時、データ検出装置の一実施例によるブロック図である。図１８を参照するに、光検出器１８１は、ディスクから反射されて入力される光信号を電気的信号に変換し、プリアンプ１８２は、各光検出片Ａ、Ｂ、Ｃ、Ｄからの電気的信号を合算してＲＦ信号を提供する。ＨＰＦ  １８３は、プリアンプ１８２から出力されるＲＦ信号のＤＣオフセットを除去する。ＬＰＦ  １８４は、エイリアシングを防止するために、ＨＰＦ  １８３によりＤＣオフセットが除去されたＲＦ信号を低域フィルタリングする。
【００７２】
Ａ／Ｄ変換器１８５は、ＬＰＦ  １８４から出力されるアナログＲＦ信号をデジタルＲＦデータに変換し、等化器１８６は、Ａ／Ｄ変換器１８５から出力されるデジタルＲＦデータを波形整形する。ＰＬＬ回路１８８は、スイッチング手段１８７を通じてＡ／Ｄ変換器１８５から出力されるデジタルＲＦデータ、または等化器１８６を通過したＲＦデータに同期されたクロック信号を生成して、再生クロック信号が必要なＡ／Ｄ変換器１８５、二値化器１８９及びランレングス補正器１９０に提供する。
【００７３】
二値化器１８９は、等化器１８６の出力から二値に変換して二値化されたＲＦ信号を提供する。この二値化器１８９は、スライサーやＰＲＭＬなど可能な手段をいずれも含む意味で命名されうる。ランレングス補正器１９０は、二値化器１８９から出力される二値化されたＲＦ信号のランレングスを補正するが、（ｎ±１）Ｔとエラーが発生した信号をｎＴに補正する。
【００７４】
図１９は、図９に示されたように成形された情報をディスクから再生する時、データ検出装置の他の実施例によるブロック図である。図１９を参照するに、光検出器１９１はディスクから反射されて入力される光信号を電気的信号に変換し、プリアンプ１９２は、各光検出片Ａ、Ｂ、Ｃ、Ｄからの電気的信号を合算してＲＦ信号を提供する。ＤＣオフセット除去器１９３は、プリアンプ１９２から出力されるＲＦ信号のＤＣオフセットを除去する。等化器１９４は、ＤＣオフセット除去器１９３を経たＲＦ信号の波形を整形し、ＬＰＦ  １９５は等化器１９４の出力を低域フィルタリングしてエイリアシングを防止する。
【００７５】
Ａ／Ｄ変換器１９６は、ＬＰＦ  １９５から出力されるアナログＲＦ信号をデジタルＲＦデータに変換し、ＰＬＬ回路１９７は、Ａ／Ｄ変換器１９６から出力されるデジタルＲＦデータに同期されたクロック信号を生成して、再生クロック信号が必要なＡ／Ｄ変換器１９６、二値化器１９８及びランレングス補正器１９９に提供する。
【００７６】
二値化器１９８は、Ａ／Ｄ変換器１９６の出力から二値に変換して二値化されたＲＦ信号を提供する。ランレングス補正器１９９は、二値化器１９８から出力される二値化されたＲＦ信号のランレングスを補正するが、（ｎ±１）Ｔとエラーが発生した信号をｎＴに補正する。
【００７７】
図２０は、図９に示されたように成形された情報をディスクから再生する時、データ検出装置のさらに他の実施例によるブロック図である。図２０を参照するに、光検出器２０１は、ディスクから反射されて入力される光信号を電気的信号に変換し、プリアンプ２０２は、各光検出片Ａ、Ｂ、Ｃ、Ｄからの電気的信号を合算してＲＦ信号を提供する。
【００７８】
ＤＣオフセット除去器２０３は、プリアンプ２０２から出力されるＲＦ信号のＤＣオフセットを除去する。等化器２０４は、ＤＣオフセット除去器２０３を経たＲＦ信号の波形を整形し、ＬＰＦ  ２０５は、等化器２０４の出力を低域フィルタリングしてエイリアシングを防止する。
【００７９】
Ａ／Ｄ変換器２０６は、ＬＰＦ  ２０５から出力されるアナログＲＦ信号をデジタルＲＦデータに変換し、等化器２０７は、Ａ／Ｄ変換器２０６から出力されるデジタルＲＦデータの波形を整形する。ＰＬＬ回路２０９は、スイッチング手段２０８を通じてＡ／Ｄ変換器２０６から出力されるデジタルＲＦデータ、または等化器２０７を通過したＲＦデータに同期されたクロック信号を生成して、再生クロック信号が必要なＡ／Ｄ変換器２０６、等化器２０７、二値化器２１０及びランレングス補正器２１１に提供する。
【００８０】
二値化器２１０は、等化器２０７の出力から二値に変換して二値化されたＲＦ信号を提供する。ランレングス補正器２１１は、二値化器２１０から出力される二値化されたＲＦ信号のランレングスを補正するが、（ｎ±１）Ｔとエラーが発生した信号をｎＴに補正する。
【産業上の利用可能性】
【００８１】
前述したように、本発明はユーザー領域とその他の領域とについて相異なる変調方式を使用することにより、データ検出窓幅が広くなって安定したデータの再生が可能である。本発明は、ユーザー領域内のピットやスペースの一部のみを付加情報領域内にて使用するために、共用する回路（ＰＬＬ回路）があって再生装置のハードウェア負担を減らすことができる。また、本発明は、ｎＴ長さのピットを成形し、かつ（ｎ±１）Ｔ長さのピットを成形しないことにより、信号の補正ができて他のＴに移るエラーを補償でき、安定したデータの再生が可能である。
【図面の簡単な説明】
【００８２】
【図１】従来技術によるディスクに成形されたピットのヒストグラムを示した図である。
【図２】図１に示されたディスクに成形されたピットを検出及び／または評価する従来のデータ評価装置のブロック図である。
【図３】図２に示された評価器から検出されたピットのヒストグラムを示した図である。
【図４】本発明による情報保存媒体のレイアウトを示した図である。
【図５】図４に示された情報保存媒体上の付加情報領域から再生した信号のヒストグラムを示した図である。
【図６】本発明によるデータ記録装置の一実施例によるブロック図である。
【図７】本発明によるデータ再生装置の一実施例によるブロック図である。
【図８】本発明によるデータ記録装置の他の実施例によるブロック図である。
【図９】図８に示された記録装置により記録されたデータ情報（ピット）のヒストグラムを示した図である。
【図１０】本発明によるデータ再生装置の他の実施例によるブロック図である。
【図１１】本発明によるデータ記録／再生過程を示したタイミング図である。
【図１２】本発明によるデータ評価装置の一実施例によるブロック図である。
【図１３】図９に示されたようにピットが情報保存媒体上に成形された場合、図８に示された評価器で観測されたピットのヒストグラムを示した図である。
【図１４】図１２に示されたランレングス補正器の動作原理を説明するための参考図である。
【図１５】図１２に示されたランレングス補正器を経る前に二値化されたＲＦ信号のヒストグラムを示した図である。
【図１６】図１２に示されたランレングス補正器によりランレングス補正された信号のヒストグラムを示した図である。
【図１７】本発明によるデータ評価装置の他の実施例によるブロック図である。
【図１８】本発明によるデータ検出装置の一実施例によるブロック図である。
【図１９】本発明によるデータ検出装置の他の実施例によるブロック図である。
【図２０】本発明によるデータ検出装置のさらに他の実施例によるブロック図である。
【図１】
2005538489.tif 000003
【図２】
2005538489.tif 000004
【図３】
2005538489.tif 000005
【図４】
2005538489.tif 000006
【図５】
2005538489.tif 000007
【図６】
2005538489.tif 000008
【図７】
2005538489.tif 000009
【図８】
2005538489.tif 000010
【図９】
2005538489.tif 000011
【図１０】
2005538489.tif 000012
【図１１】
2005538489.tif 000013
【図１２】
2005538489.tif 000014
【図１３】
2005538489.tif 000015
【図１４】
2005538489.tif 000016
【図１５】
2005538489.tif 000017
【図１６】
2005538489.tif 000018
【図１７】
2005538489.tif 000019
【図１８】
2005538489.tif 000020
【図１９】
2005538489.tif 000021
【図２０】
2005538489.tif 000022
【国際調査報告】
2005538489.tif 000023